【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
（Ａ）（ａ１）塩素原子及び臭素原子からなる群より選択される１種以上の原子を含んでいてもよいハイドロフルオロオレフィン類、（ａ２）クロロフルオロオレフィン類、並びに（ａ３）ブロモフルオロオレフィン類からなる群より選択される１種以上の溶剤と、
（Ｂ）ノルマルオクタン、イソオクタン、イソノナン、メチルシクロヘキサン及びエチルシクロヘキサンからなる群より選択される１種以上の溶剤と
を含む溶剤組成物であって、
前記組成物の総量を１００重量部としたときに、
（Ａ）の含有量が５重量部超９５重量部未満であり、
（Ｂ）の含有量が５重量部超９５重量部未満であり、そして
（Ａ）及び（Ｂ）の含有量の合計が９５重量部以上１００重量部以下である、溶剤組成物（但し、１−クロロ−２，３，３−トリフルオロプロペンと、沸点が６０〜１００℃の炭化水素との組合せを含む溶剤組成物を除き、シス−１−クロロ−３，３，３−トリフルオロプロペンと、炭素原子数が５若しくは６である、直鎖状若しくは分岐状のアルケンとの組合せを含む溶剤組成物を除き、及び、（Ａ）が、１−クロロ−２，３，３，３−テトラフルオロ−１−プロペンのＺ体、１−クロロ−２，３，３，４，４，５，５−ヘプタフルオロ−１−ペンテン、又は１，３−ジクロロ−２，３，３−トリフルオロプロペンである場合を除く。）。
【請求項２】
（Ａ）（ａ１）塩素原子及び臭素原子からなる群より選択される１種以上の原子を含んでいてもよいハイドロフルオロオレフィン類、（ａ２）クロロフルオロオレフィン類、並びに（ａ３）ブロモフルオロオレフィン類からなる群より選択される１種以上の溶剤と、
（Ｂ）ノルマルオクタン、イソオクタン、イソノナン、メチルシクロヘキサン及びエチルシクロヘキサンからなる群より選択される１種以上の溶剤と、
（Ｃ）（ｃ１）ハイドロフルオロカーボン類、（ｃ２）ハイドロフルオロエーテル類及び（ｃ３）１−メトキシ−２−プロパノールからなる群より選択される１種以上の溶剤とを含む溶剤組成物であって、
前記組成物の総量を１００重量部としたときに、
（Ａ）及び（Ｂ）の含有量の合計が１０重量部超１００重量部未満であり、そして
（Ａ）、（Ｂ）及び（Ｃ）の含有量の合計が９５重量部以上１００重量部以下である、溶剤組成物（但し、１−クロロ−２，３，３−トリフルオロプロペンと、沸点が６０〜１００℃の炭化水素との組合せを含む溶剤組成物を除き、シス−１−クロロ−３，３，３−トリフルオロプロペンと、炭素原子数が５若しくは６である、直鎖状若しくは分岐状のアルケンとの組合せを含む溶剤組成物を除き、及び、（Ａ）が、１−クロロ−２，３，３，３−テトラフルオロ−１−プロペンのＺ体、１−クロロ−２，３，３，４，４，５，５−ヘプタフルオロ−１−ペンテン、又は１，３−ジクロロ−２，３，３−トリフルオロプロペンである場合を除く。）。
【請求項３】
（Ｃ）が（ｃ１）及び（ｃ２）からなる群より選択される１種以上の溶剤であり、組成物の総量を１００重量部としたときに、（ｃ１）及び（ｃ２）の含有量の合計が３８重量部以上９０重量部未満である、請求項２に記載の溶剤組成物。
【請求項４】
（Ｃ）が（ｃ１）及び（ｃ２）からなる群より選択される１種以上の溶剤であり、組成物の総量を１００重量部としたときに、（ｃ１）及び（ｃ２）の含有量の合計が５重量部以上３８重量部未満である、請求項２に記載の溶剤組成物。
【請求項５】
（Ｃ）が１，１，１，３，３−ペンタフルオロブタン、メチルノナフルオロブチルエーテル、メチルノナフルオロイソブチルエーテル及び１，１，２，２−テトラフルオロエチル−２，２，２−トリフルオロエチルエーテルからなる群より選択される１種以上の溶剤である、請求項２〜４のいずれか一項に記載の溶剤組成物。
【請求項６】
（Ａ）がシス−１−クロロ−３，３，３−トリフルオロプロペンであり、（Ｂ）がイソオクタン及びイソノナンからなる群より選択される１種以上の溶剤であり、（Ｃ）が１，１，１，３，３−ペンタフルオロブタンである、請求項２〜５のいずれか一項に記載の溶剤組成物。
【請求項７】
（Ａ）がシス−１−クロロ−３，３，３−トリフルオロプロペンであり、（Ｂ）がイソオクタン及びイソノナンからなる群より選択される１種以上の溶剤であり、（Ｃ）がメチルノナフルオロブチルエーテル、メチルノナフルオロイソブチルエーテル及び１，１，２，２−テトラフルオロエチル−２，２，２−トリフルオロエチルエーテルからなる群より選択される１種以上の溶剤である、請求項２〜５のいずれか一項に記載の溶剤組成物。
【請求項８】
（Ｃ）が（ｃ３）であり、組成物の総量を１００重量部としたときに、（ｃ３）の含有量が１５重量部以上９０重量部未満である、請求項２に記載の溶剤組成物。
【請求項９】
組成物の総量を１００重量部としたときに、（Ｂ）の含有量が５重量部超５０重量部以下である、請求項１に記載の溶剤組成物。
【請求項１０】
（Ａ）がシス−１−クロロ−３，３，３−トリフルオロプロペン、（Ｅ）−１−クロロ−２，３，３−トリフルオロプロペン及び（Ｚ）−１−クロロ−２，３，３−トリフルオロプロペンからなる群より選択される１種以上の溶剤である、請求項１〜９のいずれか一項に記載の溶剤組成物。
【請求項１１】
（Ａ）がシス−１−クロロ−３，３，３−トリフルオロプロペンであり、（Ｂ）がメチルシクロヘキサンである、請求項１〜５及び８〜９のいずれか一項に記載の溶剤組成物。
【請求項１２】
油性汚れ及び／又は油が付着した被洗浄物を洗浄するための洗浄剤である、請求項１〜１１のいずれか一項に記載の溶剤組成物。
【請求項１３】
ポリカーボネート樹脂又はＡＢＳ樹脂に付着した油性汚れ及び／又は油を除去するための洗浄剤である、請求項１〜１２のいずれか一項に記載の溶剤組成物。
【請求項１４】
（Ａ）（ａ１）塩素原子及び臭素原子からなる群より選択される１種以上の原子を含んでいてもよいハイドロフルオロオレフィン類、（ａ２）クロロフルオロオレフィン類、並びに（ａ３）ブロモフルオロオレフィン類からなる群より選択される１種以上の溶剤と、
（Ｂ）ノルマルオクタン、イソオクタン、イソノナン、メチルシクロヘキサン及びエチルシクロヘキサンからなる群より選択される１種以上の溶剤と
を含む溶剤組成物であって、
前記組成物の総量を１００重量部としたときに、
（Ａ）の含有量が５重量部超９５重量部未満であり、
（Ｂ）の含有量が５重量部超９５重量部未満であり、そして
（Ａ）及び（Ｂ）の含有量の合計が９０重量部以上１００重量部以下である、溶剤組成物（但し、１−クロロ−２，３，３−トリフルオロプロペンと、沸点が６０〜１００℃の炭化水素との組合せを含む溶剤組成物を除き、シス−１−クロロ−３，３，３−トリフルオロプロペンと、炭素原子数が５若しくは６である、直鎖状若しくは分岐状のアルケンとの組合せを含む溶剤組成物を除き、及び、（Ａ）が、１−クロロ−２，３，３，３−テトラフルオロ−１−プロペンのＺ体、１−クロロ−２，３，３，４，４，５，５−ヘプタフルオロ−１−ペンテン、又は１，３−ジクロロ−２，３，３−トリフルオロプロペンである場合を除く。）。
【請求項１５】
（Ａ）（ａ１）塩素原子及び臭素原子からなる群より選択される１種以上の原子を含んでいてもよいハイドロフルオロオレフィン類、（ａ２）クロロフルオロオレフィン類、並びに（ａ３）ブロモフルオロオレフィン類からなる群より選択される１種以上の溶剤と、
（Ｂ）ノルマルオクタン、イソオクタン、イソノナン、メチルシクロヘキサン及びエチルシクロヘキサンからなる群より選択される１種以上の溶剤と、
（Ｃ）（ｃ１）ハイドロフルオロカーボン類、（ｃ２）ハイドロフルオロエーテル類及び（ｃ３）１−メトキシ−２−プロパノールからなる群より選択される１種以上の溶剤とを含む溶剤組成物であって、
前記組成物の総量を１００重量部としたときに、
（Ａ）及び（Ｂ）の含有量の合計が１０重量部超１００重量部未満であり、そして
（Ａ）、（Ｂ）及び（Ｃ）の含有量の合計が９０重量部以上１００重量部以下である、溶剤組成物（但し、１−クロロ−２，３，３−トリフルオロプロペンと、沸点が６０〜１００℃の炭化水素との組合せを含む溶剤組成物を除き、シス−１−クロロ−３，３，３−トリフルオロプロペンと、炭素原子数が５若しくは６である、直鎖状若しくは分岐状のアルケンとの組合せを含む溶剤組成物を除き、及び、（Ａ）が、１−クロロ−２，３，３，３−テトラフルオロ−１−プロペンのＺ体、１−クロロ−２，３，３，４，４，５，５−ヘプタフルオロ−１−ペンテン、又は１，３−ジクロロ−２，３，３−トリフルオロプロペンである場合を除く。）。
【請求項１６】
組成物の総量を１００重量部としたときに、（Ｂ）の含有量が５重量部超５０重量部以下である、請求項２〜８及び１４〜１５のいずれか一項に記載の溶剤組成物。
【請求項１７】
（Ｃ）が（ｃ１）及び（ｃ２）からなる群より選択される１種以上の溶剤であり、組成物の総量を１００重量部としたときに、（Ａ）の含有量が１０重量部以上５２重量部以下であり、（Ｂ）の含有量が１０重量部以上３５重量部以下であり、（Ａ）及び（Ｂ）の含有量の合計が３５重量部以上６２重量部以下であり、（ｃ１）及び（ｃ２）の含有量の合計が３８重量部以上６５重量部以下である、請求項２、３又は１５に記載の溶剤組成物。
【請求項１８】
（Ｃ）が（ｃ２）であり、組成物の総量を１００重量部としたときに、（ｃ２）の含有量の合計が２８重量部以上９０重量部未満である、請求項２又は１５に記載の溶剤組成物。
【請求項１９】
（Ｃ）が（ｃ２）であり、組成物の総量を１００重量部としたときに、（Ａ）の含有量が１０重量部以上５５重量部以下であり、（Ｂ）の含有量が１０重量部以上３５重量部以下であり、（Ａ）及び（Ｂ）の含有量の合計が３０重量部以上７２重量部以下であり、（ｃ２）の含有量の合計が２８重量部以上６５重量部以下である、請求項２、１５又は１８に記載の溶剤組成物。
【請求項２０】
さらに、アルコール系溶剤（但し、（ｃ３）１−メトキシ−２−プロパノールを除く）を含む、請求項１〜１９のいずれか一項に記載の溶剤組成物。
【請求項２１】
フラックスを洗浄するための洗浄剤である、請求項１〜２０のいずれか一項に記載の溶剤組成物。
【請求項２２】
工程（１Ａ）：請求項１〜２１のいずれか一項に記載の溶剤組成物に被洗浄物を浸漬する工程と、工程（１Ｂ）：請求項１〜２１のいずれか一項に記載の溶剤組成物から（Ａ）成分を含む蒸気を発生させ、発生させた（Ａ）成分を含む蒸気に被洗浄物を接触させる工程とを含む、被洗浄物の洗浄方法に用いるための洗浄剤である、請求項１〜２１のいずれか一項に記載の溶剤組成物。
【請求項２３】
請求項１〜２１のいずれか一項に記載の溶剤組成物と噴射ガスとを含有する洗浄用エアゾール組成物。
【請求項２４】
請求項２３に記載の洗浄用エアゾール組成物を噴射して洗浄する洗浄方法。